(57)【要約】【課題】記録媒体に記録されたデータの秘匿性を確保し、且つデータの不正な消去及び破壊を防止する、デジタルデータ記録再生方法、及びその装置を提供する。【解決手段】記録媒体にファイルとして記録されたデジタルデータの、該記録媒体内に記録されている、ファイルの構造を示すファイルシステム情報に含まれる、記録最小単位の接続関係を示すチェイン情報に、ファイルが不良であることを示す不良識別子を設定して、上記記録媒体に記録されたデジタルデータを秘匿し、該秘匿されたデジタルデータを再生する際には、上記不良識別子を設定されたファイルシステム情報を、該不良識別子が設定される前のファイルシステム情報に復元し、該復元されたファイルシステム情報に基づいて、上記デジタルデータを再生する。【選択図】　　　図１
2004079120.tif 000002
【特許請求の範囲】
【請求項１】
デジタルデータが、記録媒体における記録最小単位でファイルとして記録され、該記録媒体に記録された該記録媒体内のファイル構造を示すファイルシステム情報に基づいて再生されるデジタルデータ記録再生方法であって、
上記記録媒体に記録されたデジタルデータに関する上記ファイルシステム情報に含まれる最小記録単位の接続関係を示すチェイン情報に、ファイルが不良であることを示す不良識別子を設定する秘匿処理を施し、
上記秘匿処理が施されたデジタルデータを再生する際には、上記不良識別子が設定されたファイルシステム情報を、該不良識別子が設定される前のファイルシステム情報に復元した後、該復元されたファイルシステム情報に基づいて、上記デジタルデータの再生を行う、
ことを特徴とするデジタルデータ記録再生方法。
【請求項２】
請求項１に記載のデジタルデータ記録再生方法において、
上記秘匿処理が施される前のデジタルデータに関するファイルシステム情報を、第二の記録媒体に記録した後、上記秘匿処理を施し、
上記秘匿処理が施されたデジタルデータを再生する際には、上記第二の記録媒体に記録された情報に基づいて、上記不良識別子が設定されたファイルシステム情報を、該不良識別子が設定される前のファイルシステム情報に復元した後、該復元されたファイルシステム情報に基づいて、上記デジタルデータの再生を行う、
ことを特徴とするデジタルデータ記録再生方法。
【請求項３】
請求項１に記載のデジタルデータ記録再生方法において、
上記秘匿処理が施される前のデジタルデータに関するファイルシステム情報を、承認された機器もしくはユーザの情報と関連づけて、上記第二の記録媒体に記録した後、上記秘匿処理を施し、
上記秘匿処理が施されたデジタルデータを再生する際には、承認された機器もしくはユーザであるかを確認した後に、上記第二の記録媒体に記録された情報に基づいて、上記不良識別子が設定されたファイルシステム情報を、該不良識別子が設定される前のファイルシステム情報に復元した後、該復元されたファイルシステム情報に基づいて、上記デジタルデータの再生を行う、
ことを特徴とするデジタルデータ記録再生方法。
【請求項４】
請求項３に記載のデジタルデータ記録再生方法において、
上記機器情報は、機器毎に付加されたＩＤである、
ことを特徴とするデジタルデータ記録再生方法。
【請求項５】
請求項３に記載のデジタルデータ記録再生方法において、
上記ユーザ情報は、パスワード、ＩＤ、もしくは指紋である、
ことを特徴とするデジタルデータ記録再生方法。
【請求項６】
請求項１に記載のデジタルデータ記録再生方法において、
上記記録最小単位は、クラスタ単位である、
ことを特徴とするデジタルデータ記録再生方法。
【請求項７】
請求項１に記載のデジタルデータ記録再生方法において、
上記記録最小単位は、セクタ単位である、
ことを特徴とするデジタルデータ記録再生方法。
【請求項８】
請求項２に記載のデジタルデータ記録再生方法において、
上記第二の記録媒体は、リムーバブルメディアである、
ことを特徴とするデジタルデータ記録再生方法。
【請求項９】
請求項１に記載のデジタルデータ記録再生方法において、
上記記録媒体がリムーバブルメディアであるとき、上記秘匿処理が施される前のデジタルデータに関するファイルシステム情報を、上記記録媒体に記録した後、上記秘匿処理を施し、
上記秘匿処理が施されたデジタルデータを再生する際には、上記記録媒体に記録された情報に基づいて、上記不良識別子が設定されたファイルシステム情報を、該不良識別子が設定される前のファイルシステム情報に復元した後、該復元されたファイルシステム情報に基づいて、上記デジタルデータの再生を行う、
ことを特徴とするデジタルデータ記録再生方法。
【請求項１０】
請求項９に記載のデジタルデータ記録再生方法において、
上記記録媒体に、上記秘匿処理が施される前のデジタルデータに関するファイルシステム情報を記録する際、上記記録媒体内のデジタルデータを記録するファイルシステム領域とは異なるファイルシステム領域に、上記ファイルシステム情報を記録する、
ことを特徴とするデジタルデータ記録再生方法。
【請求項１１】
請求項９に記載のデジタルデータ記録再生方法において、
上記記録媒体に、上記秘匿処理が施される前のデジタルデータに関するファイルシステム情報を記録する際、上記記録媒体内のデジタルデータを格納するファイルシステム領域と同じ領域に、ファイルをみえなくする不可視識別子を設定した上記ファイルシステム情報を記録する、
ことを特徴とするデジタルデータ記録再生方法。
【請求項１２】
請求項１１に記載のデジタルデータ記録再生方法において、
上記記録媒体に、上記秘匿処理が施される前のデジタルデータに関するファイルシステム情報を記録する際、該ファイルシステム情報を暗号化して記録する、
ことを特徴とするデジタルデータ記録再生方法。
【請求項１３】
デジタルデータが、記録媒体における記録最小単位でファイルとして記録され、該記録媒体に記録された該記録媒体内のファイル構造を示すファイルシステム情報に基づいて再生されるデジタルデータ記録再生方法であって、
上記記録媒体に記録されたデジタルデータに関する上記ファイルシステム情報に含まれる最小記録単位の接続関係を示すチェイン情報に、ファイルが不良であることを示す不良識別子を設定する秘匿処理を施すとともに、該秘匿処理を施す前のデジタルデータに関するファイルシステム情報を第二の記録媒体に記録し、
上記秘匿処理が施されたデジタルデータを再生する際には、上記第二の記録媒体に記録された上記秘匿処理を施す前のデジタルデータに関するファイルシステム情報に基づいて、上記デジタルデータの再生を行う、
ことを特徴とするデジタルデータ記録再生方法。
【請求項１４】
デジタルデータが、記録媒体における記録最小単位でファイルとして記録され、該記録媒体に記録された該記録媒体内のファイル構造を示すファイルシステム情報に基づいて再生されるデジタルデータ記録再生方法であって、
上記記録媒体に記録されたデジタルデータに関する上記ファイルシステム情報に含まれる最小記録単位の接続関係を示すチェイン情報に、ファイルが不良であることを示す不良識別子を設定する秘匿処理を施すとともに、該秘匿処理を施す前のデジタルデータに関するファイルシステム情報を上記記録媒体に記録し、
上記秘匿処理が施されたデジタルデータを再生する際には、上記記録媒体に記録された上記秘匿処理を施す前のデジタルデータに関するファイルシステム情報に基づいて、上記デジタルデータの再生を行う、
ことを特徴とするデジタルデータ記録再生方法。
【請求項１５】
デジタルデータが、記録媒体における記録最小単位でファイルとして記録され、該記録媒体に記録された該記録媒体内のファイル構造を示すファイルシステム情報に基づいて再生されるデジタルデータ記録再生装置であって、
上記デジタルデータのうち、ユーザから秘匿要求がなされたデータに関する該記録媒体内のファイル構造を示すファイルシステム情報に含まれる最小記録単位の接続関係を示すチェイン情報に、ファイルが不良であることを示す不良識別子を設定する秘匿処理を施す秘匿処理手段と、
上記不良識別子が設定されたファイルシステム情報を、該不良識別子が設定される前のファイルシステム情報に復元し、該復元されたファイルシステム情報に基づいて、上記秘匿処理が施されたデジタルデータを再生処理する再生処理手段と、を備える、
ことを特徴とするデジタルデータ記録再生装置。
【請求項１６】
デジタルデータが、記録媒体における記録最小単位でファイルとして記録され、該記録媒体に記録された該記録媒体内のファイル構造を示すファイルシステム情報に基づいて再生されるデジタルデータ記録再生装置であって、
上記デジタルデータのうち、ユーザから秘匿要求がなされたデータに関する該記録媒体内のファイル構造を示すファイルシステム情報に含まれる最小記録単位の接続関係を示すチェイン情報に、ファイルが不良であることを示す不良識別子を設定する秘匿処理を施し、該秘匿処理が施される前のデジタルデータに関するファイルシステム情報を、第二の記録媒体に記録する秘匿手段と、
上記第二の記録媒体に記録された上記秘匿処理が施される前のデジタルデータに関するファイルシステム情報に基づいて、上記秘匿処理が施されたデジタルデータを再生処理する再生処理手段と、を備える、
ことを特徴とするデジタルデータ記録再生装置。
【請求項１７】
デジタルデータが、記録媒体における記録最小単位でファイルとして記録され、該記録媒体に記録された該記録媒体内のファイル構造を示すファイルシステム情報に基づいて再生されるデジタルデータ記録再生装置であって、
上記デジタルデータのうち、ユーザから秘匿要求がなされたデータに関する該記録媒体内のファイル構造を示すファイルシステム情報に含まれる最小記録単位の接続関係を示すチェイン情報に、ファイルが不良であることを示す不良識別子を設定する秘匿処理を施し、該秘匿処理が施される前のデジタルデータに関するファイルシステム情報を、上記記録媒体に記録する秘匿手段と、
上記記録媒体に記録された上記秘匿処理が施される前のデジタルデータに関するファイルシステム情報に基づいて、上記秘匿処理が施されたデジタルデータを再生処理する再生処理手段と、を備える、
ことを特徴とするデジタルデータ記録再生装置。
【請求項１８】
請求項１５ないし請求項１７のいずれかに記載のデジタルデータ記録再生装置において、
上記記録媒体は、磁気ディスク、光磁気ディスク、光ディスクもしくは半導体メモリである、
ことを特徴とするデジタルデータ記録再生装置。
【発明の詳細な説明】
【０００１】
【発明の属する技術分野】
本発明は、磁気ディスク、光磁気ディスク、光ディスクもしくは半導体メモリ等の記録媒体に記録されているファイルに対し、アクセスの制限やコピー防止対策を施したデジタルデータ記録再生方法、並びに装置に関するものである。
【０００２】
【従来の技術】
デジタル画像等のコンテンツに対し、その内容の秘匿性を確保するための技術は、従来から幾つか提案されている。
例えば、特公平７−１２２９６０号公報には、デジタルカメラ内に乱数発生装置を設け、デジタルカメラで撮影された画像に対し、デジタルカメラ内で前記乱数発生装置を用いて画像データを暗号化する事により、画像データの秘匿性を確保する方法が開示されている。
【０００３】
また、特開２０００−２３１７５９号公報には、通常のコンピュータでは読み出しができない不良部分１４２１を含むデータを、記録媒体のデータ領域に記録することにより、コンピュータに搭載されたＯＳに付属のコピーコマンドによる、他の記録媒体への不正コピーを防止する方法が開示されている。
【０００４】
図１６は、特開２０００−２３１７５９号公報の情報記録方法を図示したものであり、図１６（ａ）は、記録されているアプリケーションプログラムを模式化したものであり、図１６（ｂ）は、模式化されたアプリケーションプログラムが正規に実行される際の、不良部分に対する対応を示したフローチャートであり、図１６（ｃ）は、模式化されたアプリケーションプログラムがコピーコマンドにより不正コピーされる際の、不良部分に対する対応を示したフローチャートである。
【０００５】
図１６（ａ）に示すように、従来の情報記録方法においては、アプリケーションプログラムの後続プログラム１４２０に不良部分１４２１が設けられ、先行プログラム１４１０に、その不良部分１４２１を回避するアルゴリズム１４１１が記録されている。
【０００６】
以下、従来の情報記録方法により記録されたアプリケーションプログラムが実行される動作について説明する。
まず、正規使用時には、後続プログラム１４２０に先行して、先行プログラム１４１０が読み出されて実行される。そして、この先行プログラム１４１０の制御下で、後続プログラム１４２０が読み出されることによって、図１６（ｂ）のフローチャートに示すように、不良部分１４２１の読み出しが回避されて、実行は正常に終了する。
【０００７】
これに対し、上記アプリケーションプログラムを不正コピーするために、ＯＳ付属のコピーコマンドを使用した場合は、上記正規使用時のように先行プログラム１４１０が読み出されないので、上記コピーコマンドにより不良部分１４２１も他の箇所と同様にコピーしようとし、図１６（ｃ）のフローチャートに示すように、後続プログラム１４２０中の不良部分１４２１の読み出しが回避されないため、読み出し不可となり、コピー処理が中断されるものである。
【０００８】
【発明が解決しようとする課題】
しかしながら、上述した特公平７−１２２９６０号公報による不正コピー防止方法では、画像データの漏洩を防ぐことは可能であるが、汎用のパソコン等を用いて画像データにアクセスされ、画像データの消去や破壊をされる可能性がある。また、デジタルカメラで撮影される画像は、１００万画素を超える大きさのものがあるため、撮影した画像データ自体を暗号化する従来の方法では、処理量が非常に大きくなり、処理時間も長くなってしまう。
【０００９】
また、特開２０００−２３１７５９号公報の情報記録方法によるコピー防止方法では、コピー防止対象ファイルの読み出し及びコピーを防止することはできるが、プログラム内に、上記コピー防止対象ファイルと、該コピー防止対象ファイルに含まれる不良部分１４２１を回避するためのファイルとが存在していることを示しているため、これらのファイルが記録再生可能な記録媒体上にある場合、上記ファイルの消去やファイル領域の再利用等の処理が行われて、元のファイルデータが破壊されてしまう恐れがある。また、この従来方法においては、プログラムを記録する記録媒体上に、データ的には意味の無い不良部分１４２１が存在するため、この不良部分１４２１の容量の分だけ記録媒体上に無駄な領域が存在してしまう。
【００１０】
本発明は上記課題を解決するものであり、その処理に時間がかからず、また記録媒体上に無駄な領域を持つことなく、ファイルの破壊を防止しながらファイルの秘匿性を確保できるデジタルデータ記録再生方法、及びデジタルデータ記録再生装置を提供することを目的とする。
【００１１】
【課題を解決するための手段】
上記課題を解決するために、本発明の請求項１に記載のデジタルデータ記録再生方法は、デジタルデータが、記録媒体における記録最小単位でファイルとして記録され、該記録媒体に記録された該記録媒体内のファイル構造を示すファイルシステム情報に基づいて再生されるデジタルデータ記録再生方法であって、上記記録媒体に記録されたデジタルデータに関する上記ファイルシステム情報に含まれる最小記録単位の接続関係を示すチェイン情報に、ファイルが不良であることを示す不良識別子を設定する秘匿処理を施し、上記秘匿処理が施されたデジタルデータを再生する際には、上記不良識別子が設定されたファイルシステム情報を、該不良識別子が設定される前のファイルシステム情報に復元した後、該復元されたファイルシステム情報に基づいて、上記デジタルデータの再生を行うものである。
【００１２】
また、本発明の請求項２に記載のデジタルデータ記録再生方法は、請求項１に記載のデジタルデータ記録再生方法において、上記秘匿処理が施される前のデジタルデータに関するファイルシステム情報を、第二の記録媒体に記録した後、上記秘匿処理を施し、上記秘匿処理が施されたデジタルデータを再生する際には、上記第二の記録媒体に記録された情報に基づいて、上記不良識別子が設定されたファイルシステム情報を、該不良識別子が設定される前のファイルシステム情報に復元した後、該復元されたファイルシステム情報に基づいて、上記デジタルデータの再生を行うものである。
【００１３】
また、本発明の請求項３に記載のデジタルデータ記録再生方法は、請求項１に記載のデジタルデータ記録再生方法において、上記秘匿処理が施される前のデジタルデータに関するファイルシステム情報を、承認された機器もしくはユーザの情報と関連づけて、上記第二の記録媒体に記録した後、上記秘匿処理を施し、上記秘匿処理が施されたデジタルデータを再生する際には、承認された機器もしくはユーザであるかを確認した後に、上記第二の記録媒体に記録された情報に基づいて、上記不良識別子が設定されたファイルシステム情報を、該不良識別子が設定される前のファイルシステム情報に復元した後、該復元されたファイルシステム情報に基づいて、上記デジタルデータの再生を行うものである。
【００１４】
また、本発明の請求項４に記載のデジタルデータ記録再生方法は、請求項３に記載のデジタルデータ記録再生方法において、上記機器情報は、機器毎に付加されたＩＤである。
【００１５】
また、本発明の請求項５に記載のデジタルデータ記録再生方法は、請求項３に記載のデジタルデータ記録再生方法において、上記ユーザ情報は、パスワード、ＩＤ、もしくは指紋である。
【００１６】
また、本発明の請求項６に記載のデジタルデータ記録再生方法は、請求項１に記載のデジタルデータ記録再生方法において、上記記録最小単位は、クラスタ単位である。
【００１７】
また、本発明の請求項７に記載のデジタルデータ記録再生方法は、請求項１に記載のデジタルデータ記録再生方法において、上記記録最小単位は、セクタ単位である。
【００１８】
また、本発明の請求項８に記載のデジタルデータ記録再生方法は、請求項２に記載のデジタルデータ記録再生方法において、上記第二の記録媒体は、リムーバブルメディアである。
【００１９】
また、本発明の請求項９に記載のデジタルデータ記録再生方法は、請求項１に記載のデジタルデータ記録再生方法において、上記記録媒体がリムーバブルメディアであるとき、上記秘匿処理が施される前のデジタルデータに関するファイルシステム情報を、上記記録媒体に記録した後、上記秘匿処理を施し、上記秘匿処理が施されたデジタルデータを再生する際には、上記記録媒体に記録された情報に基づいて、上記不良識別子が設定されたファイルシステム情報を、該不良識別子が設定される前のファイルシステム情報に復元した後、該復元されたファイルシステム情報に基づいて、上記デジタルデータの再生を行うものである。
【００２０】
また、本発明の請求項１０に記載のデジタルデータ記録再生方法は、請求項９に記載のデジタルデータ記録再生方法において、上記記録媒体に、上記秘匿処理が施される前のデジタルデータに関するファイルシステム情報を記録する際、上記記録媒体内のデジタルデータを記録するファイルシステム領域とは異なるファイルシステム領域に、上記ファイルシステム情報を記録するものである。
【００２１】
また、本発明の請求項１１に記載のデジタルデータ記録再生方法は、請求項９に記載のデジタルデータ記録再生方法において、上記記録媒体に、上記秘匿処理が施される前のデジタルデータに関するファイルシステム情報を記録する際、上記記録媒体内のデジタルデータを格納するファイルシステム領域と同じ領域に、ファイルをみえなくする不可視識別子を設定した上記ファイルシステム情報を記録するものである。
【００２２】
また、本発明の請求項１２に記載のデジタルデータ記録再生方法は、請求項１１に記載のデジタルデータ記録再生方法において、上記記録媒体に、上記秘匿処理が施される前のデジタルデータに関するファイルシステム情報を記録する際、該ファイルシステム情報を暗号化して記録するものである。
【００２３】
また、本発明の請求項１３に記載のデジタルデータ記録再生方法は、デジタルデータが、記録媒体における記録最小単位でファイルとして記録され、該記録媒体に記録された該記録媒体内のファイル構造を示すファイルシステム情報に基づいて再生されるデジタルデータ記録再生方法であって、上記記録媒体に記録されたデジタルデータに関する上記ファイルシステム情報に含まれる最小記録単位の接続関係を示すチェイン情報に、ファイルが不良であることを示す不良識別子を設定する秘匿処理を施すとともに、該秘匿処理を施す前のデジタルデータに関するファイルシステム情報を第二の記録媒体に記録し、上記秘匿処理が施されたデジタルデータを再生する際には、上記第二の記録媒体に記録された上記秘匿処理を施す前のデジタルデータに関するファイルシステム情報に基づいて、上記デジタルデータの再生を行うものである。
【００２４】
また、本発明の請求項１４に記載のデジタルデータ記録再生方法は、デジタルデータが、記録媒体における記録最小単位でファイルとして記録され、該記録媒体に記録された該記録媒体内のファイル構造を示すファイルシステム情報に基づいて再生されるデジタルデータ記録再生方法であって、上記記録媒体に記録されたデジタルデータに関する上記ファイルシステム情報に含まれる最小記録単位の接続関係を示すチェイン情報に、ファイルが不良であることを示す不良識別子を設定する秘匿処理を施すとともに、該秘匿処理を施す前のデジタルデータに関するファイルシステム情報を上記記録媒体に記録し、上記秘匿処理が施されたデジタルデータを再生する際には、上記記録媒体に記録された上記秘匿処理を施す前のデジタルデータに関するファイルシステム情報に基づいて、上記デジタルデータの再生を行うものである。
【００２５】
また、本発明の請求項１５に記載のデジタルデータ記録再生装置は、デジタルデータが、記録媒体における記録最小単位でファイルとして記録され、該記録媒体に記録された該記録媒体内のファイル構造を示すファイルシステム情報に基づいて再生されるデジタルデータ記録再生装置であって、上記デジタルデータのうち、ユーザから秘匿要求がなされたデータに関する該記録媒体内のファイル構造を示すファイルシステム情報に含まれる最小記録単位の接続関係を示すチェイン情報に、ファイルが不良であることを示す不良識別子を設定する秘匿処理を施す秘匿処理手段と、上記不良識別子が設定されたファイルシステム情報を、該不良識別子が設定される前のファイルシステム情報に復元し、該復元されたファイルシステム情報に基づいて、上記秘匿処理が施されたデジタルデータを再生処理する再生処理手段と、を備えるものである。
【００２６】
また、本発明の請求項１６に記載のデジタルデータ記録再生装置は、デジタルデータが、記録媒体における記録最小単位でファイルとして記録され、該記録媒体に記録された該記録媒体内のファイル構造を示すファイルシステム情報に基づいて再生されるデジタルデータ記録再生装置であって、上記デジタルデータのうち、ユーザから秘匿要求がなされたデータに関する該記録媒体内のファイル構造を示すファイルシステム情報に含まれる最小記録単位の接続関係を示すチェイン情報に、ファイルが不良であることを示す不良識別子を設定する秘匿処理を施し、該秘匿処理が施される前のデジタルデータに関するファイルシステム情報を、第二の記録媒体に記録する秘匿手段と、上記第二の記録媒体に記録された上記秘匿処理が施される前のデジタルデータに関するファイルシステム情報に基づいて、上記秘匿処理が施されたデジタルデータを再生処理する再生処理手段と、を備えるものである。
【００２７】
また、本発明の請求項１７に記載のデジタルデータ記録再生装置は、デジタルデータが、記録媒体における記録最小単位でファイルとして記録され、該記録媒体に記録された該記録媒体内のファイル構造を示すファイルシステム情報に基づいて再生されるデジタルデータ記録再生装置であって、上記デジタルデータのうち、ユーザから秘匿要求がなされたデータに関する該記録媒体内のファイル構造を示すファイルシステム情報に含まれる最小記録単位の接続関係を示すチェイン情報に、ファイルが不良であることを示す不良識別子を設定する秘匿処理を施し、該秘匿処理が施される前のデジタルデータに関するファイルシステム情報を、上記記録媒体に記録する秘匿手段と、上記記録媒体に記録された上記秘匿処理が施される前のデジタルデータに関するファイルシステム情報に基づいて、上記秘匿処理が施されたデジタルデータを再生処理する再生処理手段と、を備えるものである。
【００２８】
また、本発明の請求項１８に記載のデジタルデータ記録再生装置は、請求項１５ないし請求項１７のいずれかに記載のデジタルデータ記録再生装置において、上記記録媒体は、磁気ディスク、光磁気ディスク、光ディスクもしくは半導体メモリである。
【００２９】
【発明の実施の形態】
以下、本発明の実施の形態について説明する。なお、実施の形態における本発明の構成部材は、ハードウェア的には、ＣＰＵ、メモリ、その他ＬＳＩや組合せ回路などによって実現でき、ソフトウェア的には、メモリにロードされたプログラムによって実現できるものであるが、さらに、これらの機能が、ハードウェアのみ、ソフトウェアのみ、あるいはその組合せによって実現可能なものである。
【００３０】
（実施の形態１）
以下、本発明の請求項１〜９、１５、１８に記載された、本実施の形態１に係るデジタルデータ記録再生装置について、図１〜図６を用いて説明する。
本実施の形態１におけるデジタルデータ記録再生装置は、デジタル映像信号を符号化して圧縮する符号化処理部と、符号化されたデジタル映像データをファイルとして格納する記憶媒体と、符号化されたデジタル映像データを復号化する復号化処理部と、記録媒体への記録再生を制御するデジタルデータ記録再生部と、を備えたデジタルビデオカメラ、デジタルスチルカメラ、ＨＤＤ記録再生装置、ＤＶＤ記録再生装置などに、適用される場合を示しており、上記各装置の記録媒体に記録されるデータに対して、データの破壊を防止しながら、該データの秘匿性を容易に確保することができるものである。
【００３１】
まず、図１を用いて、本実施の形態１におけるデジタルデータ記録再生装置の構成について説明する。図１は、本発明の実施の形態１に係るデジタルデータ記録再生装置の構成を示す図である。
【００３２】
図１において、本実施の形態１におけるデジタルデータ記録再生装置は、外部から入力された映像音声信号をデジタル化するＡＤＣ１０１と、そのデジタル化された映像音声データを、ＭＰＥＧ（Ｍｏｖｉｎｇ　Ｐｉｃｔｕｒｅ　Ｅｘｐｅｒｔ　Ｇｒｏｕｐ）で提案された方式（以下、ＭＰＥＧ方式）で高能率符号化を行う符号化処理部１０２と、符号化された映像音声データ等をファイルとして記録する脱着可能な記録媒体１０７と、該記録媒体１０７に対するデータの記録再生を制御するデジタルデータ記録再生制御部１０６と、システム制御部１０３からの指示により、ＯＳＤ等のグラフィックス機能を含んだＭＰＥＧ方式で符号化された映像音声データや、ユーザへのメッセージの復号化を行う復号化処理部１１１と、該復号化処理部１１１から出力されたデジタル映像音声データをアナログ映像音声信号に変換するＤＡＣ１１２と、該ＤＡＣ１１２から出力された映像データや、ユーザへの通知メッセージを表示する表示部１１３と、ユーザからの記録、再生等の指示を、システム制御部１０３へ通知するユーザＩＦ部１０８と、パソコンなどの外部機器との接続を行い、該外部機器から記録媒体１０７へのアクセスも可能にする通信部１１０と、からなるものであり、また、上記デジタルデータ記録再生制御部１０６は、当該デジタルデータ記録再生装置１００全体を制御するシステム制御部１０３と、該システム制御部１０３が各種処理を行うために使用する作業用メモリ部１０４と、上記システム制御部１０３の指示により、記録媒体１０７の書き込み、及び読み出しを行う記録媒体アクセス部１０５と、上記記録媒体１０７に記録された秘匿ファイルを再生するために必要な各種情報を保持しておく不揮発性メモリである秘匿ファイル再生用データメモリ部１０９と、からなるものである。そして、上記記録媒体に記録されたデジタルデータに対して秘匿処理を施す秘匿処理、及び該秘匿処理が施されたデジタルデータを再生する再生処理は、上記デジタルデータ記録再生制御部１０６、つまり、システム制御部１０３、作業用メモリ部１０４、上記記録媒体アクセス部１０５、及び秘匿ファイル再生用データメモリ部（第二の記録媒体）１０９により実行される。
【００３３】
ここで、図２及び図３を用いて、記録媒体１０７にデータをファイルとして記録する際の、データに関する一般的なファイルシステムについて説明する。
図２及び図３は、記録媒体における一般的なファイルシステムを説明するための図であり、図２は、Ｗｉｎｄｏｗｓ（登録商標）やＭＳ−ＤＯＳ（マイクロソフト社製）等コンピュータＯＳで採用されている、記録媒体のデジタルデータ記録再生方法を説明する図であり、図３は、図２に示されるルートディレクトリを詳細に示した図である。
【００３４】
図２において、上記記録媒体１０７の記録エリアは、記録媒体１０７に格納されたファイルの名称と、ファイルの先頭クラスタ番号とを記録するルートディレクトリ２０１と、記録媒体１０７の記録最小単位であり、実データをファイルとして格納するクラスタ２０３と、上記クラスタ２０３のチェイン情報を示すファイルアロケーションテーブル（ＦＡＴ）２０２と、から構成されている。
【００３５】
図２の例では、ルートディレクトリ２０１は、記録媒体に“Ｄａｔａ１”というファイルがクラスタ番号“０００２”から格納されていることを示し、ＦＡＴ２０２は、Ｄａｔａ１がクラスタ番号“０００２”、クラスタ番号“０００３”、クラスタ番号“０００４”の順で構成されていることを示し、Ｄａｔａ１の実データは、クラスタ２０３のクラスタ番号“０００２”、クラスタ番号“０００３”、クラスタ番号“０００４”のエリアに格納されていることを示している。
【００３６】
そして、記録媒体に記録されたファイルの再生を行う場合、上述したルートディレクトリ２０１と、ＦＡＴ２０２の情報とを基に、クラスタ２０３からそのファイルの実データの読み出しを行う。
【００３７】
なお、ルートディレクトリ２０１は、ファイルの名称、及びファイルの先頭クラスタ番号以外にも、図３に示すように、ファイルの属性情報等を含んでおり、このファイルの属性情報の設定を変更することにより、ファイルを読み取り専用ファイルや、不可視ファイルに設定することができる。
【００３８】
以下、図４を用いて、本実施の形態１に係るデジタルデータ記録再生装置の記録媒体１０７上に構成されるファイルシステム情報について説明する。
図４は、本実施の形態１における、デジタルデータ記録再生装置の記録媒体上に構成されるファイルシステム情報を示す図であり、図４（ａ）は、記録媒体に記録されたファイル“Ｄａｔａ１”に対して秘匿処理がなされる前のファイルシステム情報を示したものであり、図４（ｂ）は、ユーザから記録媒体に記録されたファイル“Ｄａｔａ１”に対して秘匿要求が発生し、秘匿処理がなされた後のファイルシステム情報を示したものである。
【００３９】
図４に示すように、本実施の形態１における記録媒体１０７のファイルシステム情報は、図２と同様、ルートディレクトリ４０１と、ＦＡＴ４０２と、クラスタ４０３と、から構成されており、ルートディレクトリ４０１は、記録されたファイルの名称と、該ファイルのデータを格納している先頭のクラスタ番号とを記録し、記録媒体１０７の最小記録単位であるクラスタ４０３は、上記ファイルのデータを格納し、ＦＡＴ４０２は、上記ファイルに含まれる上記クラスタ４０３のチェイン関係を、クラスタ番号位置にそのクラスタの次に続くクラスタ番号を格納することにより管理する。
【００４０】
そして、以上のように構成された記録媒体１０７に格納されたファイル“Ｄａｔａ１”に対し、ユーザからファイルの秘匿要求がなされた場合、ユーザよりファイル秘匿要求がなされる前は、図４（ａ）に示されるように、ルートディレクトリ４０１に、記録媒体１０７に記録されたファイル“Ｄａｔａ１”の先頭クラスタ番号“０００２”が格納され、ＦＡＴ４０２に、記録媒体１０７のクラスタ番号“０００２”、クラスタ番号“０００３”、クラスタ番号“０００４”に記録されたＤａｔａ１内のクラスタ接続に関する情報が格納されていたファイルシステム情報が、図４（ｂ）に示すように、ルートディレクトリ４０１から、記録媒体１０７に記録されたＤａｔａ１のファイル名が削除され、更に、ＦＡＴ４０２には、Ｄａｔａ１が格納されているクラスタが不良クラスタであることを示す“ＦＦＦ７”値が設定されたファイルシステム情報に変更される。
【００４１】
以下、図５を用いて、本実施の形態１に係るデジタルデータ記録再生装置の記録媒体１０７に記録されたファイル“Ｄａｔａ１”を秘匿処理する際の、デジタルデータ記録再生装置１００の一連の動作について説明する。
【００４２】
図５は、本実施の形態１に係るデジタルデータ記録再生装置の記録媒体に記録されたファイル“Ｄａｔａ１”を秘匿ファイルとする際の一連の流れを示すフローチャートである。
ユーザＩＦ部１０８からシステム制御部１０３に、記録媒体１０７に記録されたファイル“Ｄａｔａ１”に対するファイルの秘匿要求が発生した場合（ステップＳ５１）、システム制御部１０３は、図４（ａ）に示されたＤａｔａ１に関するルートディレクトリ４０１の情報、及びＦＡＴ４０２の情報を、記録媒体１０７から読み出し、秘匿ファイル再生用データメモリ部１０９に格納する（ステップＳ５２）。
【００４３】
そして、システム制御部１０３は、復号化処理部１１１のＯＳＤ機能を使用し、ＤＡＣ１１２及び表示部１１３を通して、ユーザに対して、ユーザ識別のためのパスワード入力を要求する画面を表示する（ステップＳ５３）。
【００４４】
ユーザが、ユーザＩＦ部１０８よりパスワードの入力を行うと（ステップＳ５４）、システム制御部１０３は、その入力されたパスワードを、上記ステップＳ５２において秘匿ファイル再生用データメモリ部１０９に記録したＤａｔａ１のルートディレクトリ情報、及びＦＡＴ情報と関連付けを行った後、秘匿ファイル再生用データメモリ部１０９に格納する（ステップＳ５５）。
【００４５】
そして、システム制御部１０３は、図４（ａ）に示されるように記録媒体１０７に記録されているＤａｔａ１に関するルートディレクトリ４０１の情報、及びＦＡＴ４０２の情報を、図４（ｂ）に示すように、ルートディレクトリ４０１において、Ｄａｔａ１のファイルの名称を未使用状態にすると共に、Ｄａｔａ１が格納されているクラスタに対応するＦＡＴ４０２に、そのクラスタが不良クラスタであることを示す“ＦＦＦ７”値の識別子を設定する（ステップＳ５６）。
【００４６】
次に、図６を用いて、本実施の形態１に係るデジタルデータ記録再生装置１００において、秘匿処理が施された秘匿ファイルを再生する際の動作について説明する。
図６は、本実施の形態１に係るデジタルデータ記録再生装置において、記録媒体に記録された秘匿ファイルを再生する際の一連の流れを示すフローチャートである。
【００４７】
ユーザＩＦ部１０８からシステム制御部１０３に、記録されたファイルのインデックス表示や、再生モードへの切替え等の操作によって、記録媒体１０７に記録されたファイルの再生要求が発生すると（ステップＳ６１）、システム制御部１０３は、復号化処理部１１１のＯＳＤ機能を使用し、ＤＡＣ１１２及び表示部１１３を介して、ユーザに対し、ユーザ識別のためのパスワード入力を要求する画面を表示する（ステップＳ６２）。
【００４８】
ユーザがユーザＩＦ部１０８によりパスワードの入力を行うと（ステップＳ６３）、システム制御部１０３は、その入力されたパスワードと関連付けられた秘匿ファイルのルートディレクトリ情報、及びＦＡＴ情報が、上記秘匿ファイル再生用データメモリ部１０９に格納されているかどうかの確認を行う（ステップＳ６４）。
【００４９】
上記ステップＳ６４において、格納されていないと判断された場合、記録媒体１０７上の秘匿ファイルに関するファイルシステム情報のルートディレクトリ４０１の情報、及びＦＡＴ４０２の情報は変更されず、図４（ｂ）に示すように、ルートディレクトリ４０１においてファイルの名称が未使用状態に変更され、且つＦＡＴ４０２に不良識別子“ＦＦＦ７”値が設定されたままのファイルシステム情報に基づいて、再生処理が実行される（ステップＳ６６）。
【００５０】
このような状態で、記録されたファイルのインデックス表示や再生モードへの切替え等の処理が行われ、システム制御部１０３の制御により、記録媒体アクセス部１０５を介して、記録媒体１０７からデータを読み出そうとしても、ルートディレクトリ４０１においてファイルの名称が未使用状態に変更され、且つＦＡＴ４０２に不良識別子“ＦＦＦ７”値が設定されたままのファイルシステム情報に基づいては、記録媒体１０７に格納されている秘匿ファイル“Ｄａｔａ１”を読み出すことは不可能となる。これにより、ユーザは、秘匿ファイル“Ｄａｔａ１”を再生することができないうえ、さらに、その秘匿ファイルが未使用状態となっているため、秘匿ファイルの存在すら知ることができない。
【００５１】
一方、上記ステップＳ６４において、上記入力されたパスワードと関連付けられたルートディレクトリ情報、及びＦＡＴ情報が、秘匿ファイル再生用データメモリ部１０９に格納されていると判断された場合、システム制御部１０３は、記録媒体１０７上の秘匿ファイル“Ｄａｔａ１”のファイルシステム情報を、ルートディレクトリ４０１においてファイルが未使用状態で、且つＦＡＴ４０２に不良識別子“ＦＦＦ７”値が設定された図４（ｂ）の状態から、図４（ａ）に示すような、秘匿処理前の正常なルートディレクトリ４０１、及びＦＡＴ４０２に復元する（ステップＳ６５）。つまり、記録媒体１０７上の秘匿ファイルに関する秘匿処理後のファイルシステム情報を、ユーザからファイル秘匿要求が出される前の状態に戻すことにより、入力したパスワードが一致したユーザに対してのみ、記録媒体１０７に格納された秘匿処理されたファイルを再生することが可能となる。
【００５２】
以上のように本実施の形態１によれば、ユーザより秘匿要求がされたファイルに対しては、記録媒体１０７上に格納されている該秘匿対象ファイルに関するファイルシステム情報のＦＡＴ情報に不良識別子を設定すると共に、ルートディレクトリ情報においてファイル名を未使用状態に変更するようにしたので、記録媒体１０７上に無駄な領域を持たせることなく、秘匿対象ファイルの秘匿性を確保することができ、更に、外部機器による秘匿対象ファイルのデータ領域の再利用を防止し、ファイルデータの削除などの破壊を防止できる。
【００５３】
また、本実施の形態１によれば、ユーザから秘匿要求がなされた場合に、その秘匿対象ファイルのデータ領域に対して秘匿処理を行わず、その秘匿対象ファイルのファイルシステム情報に対して秘匿処理を行うようにしたので、秘匿対象ファイルに対する処理を簡易に行うことができる効果もある。
【００５４】
また、本実施の形態１によれば、秘匿処理が施された秘匿対象ファイルのデータを再生する場合、記録媒体１０７上のファイルシステム情報を、秘匿処理前の正常な情報に戻すことにより、既存の汎用ファイルシステム制御機能をそのまま使用することができ、処理が簡易で、開発に要する時間を短縮する効果がある。
【００５５】
さらに、秘匿ファイル再生用データメモリ部１０９が脱着可能な不揮発性メモリである場合、本装置の未使用時に、ユーザが秘匿ファイル再生用データメモリ部１０９を抜いておくようにすれば、記録媒体１０７に記録された秘匿対象ファイルの秘匿性をより高めることができる。
【００５６】
また、上記説明では、記録媒体１０７に記録されたファイルに対して秘匿処理を施す際、あるいはその秘匿処理が施されたファイルのデータを再生処理する際に、ユーザから入力されるパスワードを確認することで、秘匿ファイルの再生処理等を行うようにしたが、パスワードの他に機器固有のシリアル番号を併用するようにすれば、特定の機器でしか秘匿されたファイルを再生できないように制限をつけることが可能となり、ファイルの秘匿性をさらに高めることができる。
【００５７】
また、上記説明では、符号化処理にＭＰＥＧ方式を用いているが、符号化処理はこれに限定されるものではない。
【００５８】
また、上記説明では、記録媒体１０７に対してデータを記録、再生する本デジタルデータ記録再生装置を、デジタルビデオカメラ、デジタルスチルカメラ、ＨＤＤ記録再生装置、ＤＶＤ記録再生装置に適用した場合を例に挙げて説明したが、デジタルデータ記録再生装置が適用される機器はこれに限定するものではない。
また、上記説明では、記録媒体の記録再生の最小単位としてクラスタを用いているが、記録最小単位にセクタを用いた場合も、同様の効果を得ることができる。
【００５９】
（実施の形態２）
以下に、本発明の請求項９、１０に記載された、本実施の形態２に係るデジタルデータ記録再生装置について、図４、図７〜１０を用いて説明する。
上記実施の形態１においては、秘匿処理が施された秘匿対象ファイルを再生する際に必要な情報である秘匿ファイル再生用データを、秘匿対象ファイルのデータを記録する記録媒体とは別の第二の記録媒体に格納するようにしたが、本実施の形態２においては、上記デジタルデータを格納する記録媒体上に、上記秘匿対象ファイルのデータを格納する領域とは異なるファイルシステムで制御されるファイルシステム領域を設け、その領域に上記秘匿ファイル再生用データを格納するようにする。
【００６０】
まず、図７及び図８を用いて、本実施の形態２におけるデジタルデータ記録再生装置について説明する。図７は、本実施の形態２に係るデジタルデータ記録再生装置の構成を示す図であり、図８は、本発明の実施の形態２に係るデジタルデータ記録再生装置の記録媒体を説明するための図である。
【００６１】
図７において、本実施の形態２のデジタルデータ記録再生装置１００ａは、上記実施の形態１で説明したデジタルデータ記録再生装置１００の秘匿ファイル再生データ用メモリ１０９を設けないかわりに、上記秘匿ファイルの再生に必要な秘匿ファイル再生用データを記録する領域が設けられた、脱着可能な記録媒体１０７ａを備える。
【００６２】
以下、図８を用いて、本実施の形態２における記録媒体１０７ａの詳細な構成について説明する。
図８に示すように、本実施の形態２の記録媒体１０７ａは、システム領域７０１とデータ領域７０２とから構成される汎用ファイルシステム領域７０３と、該汎用ファイルシステム領域７０３とは異なるファイルシステムからなる専用ファイルシステム領域７０４と、で構成されている。そして、上記汎用システム領域７０３のシステム領域７０１には、図４（ａ），（ｂ）に示すルートディレクトリ４０１と、ファイルアロケーションテーブル（ＦＡＴ）４０２とが配置され、データ領域７０２には、図４（ａ），（ｂ）に示すクラスタ４０３が配置される。
【００６３】
次に、図９を用いて、本実施の形態２に係るデジタルデータ記録再生装置の記録媒体１０７ａに記録されたファイル“Ｄａｔａ１”を秘匿処理する際の、デジタルデータ記録再生装置の一連の動作について説明する。
図９は、本実施の形態２に係るデジタルデータ記録再生装置の記録媒体に記録されたファイル“Ｄａｔａ１”を秘匿ファイルとする際の一連の流れを示すフローチャートである。
【００６４】
記録媒体１０７ａに記録されたファイル“Ｄａｔａ１”に対して、ユーザＩＦ部１０８からシステム制御部１０３に、ファイルの秘匿要求が発生した場合（ステップＳ８１）、システム制御部１０３は、図４（ａ）に示されたＤａｔａ１に関する、ルートディレクトリ４０１の情報、及びＦＡＴ４０２の情報を、記録媒体１０７ａ上の汎用ファイルシステム領域７０３内のシステム領域７０１から読み出し、記録媒体１０７ａ上の専用ファイルシステム領域７０４に格納する（ステップＳ８２）。
そして、システム制御部１０３は、復号化処理部１１１のＯＳＤ機能を使用し、ＤＡＣ１１２及び表示部１１３を通して、ユーザに対し、ユーザ識別のためのパスワード入力を要求する画面を表示する（ステップＳ８３）。
【００６５】
ユーザが、ユーザＩＦ部１０８によりパスワードの入力を行うと（ステップＳ８４）、システム制御部１０３は、その入力されたパスワードを、上記ステップＳ８２において記録媒体１０７ａの専用ファイルシステム領域７０４に記録したＤａｔａ１のルートディレクトリ情報、及びＦＡＴ情報と関連付けを行った後、記録媒体１０７ａ上の専用ファイルシステム領域７０４に格納する（ステップＳ８５）。
【００６６】
そして、システム制御部１０３は、図４（ａ）に示されるように、記録媒体１０７ａ上のシステム領域７０１に記録されているＤａｔａ１に関するルートディレクトリ４０１の情報、及びＦＡＴ４０２の情報を、図４（ｂ）に示すように、ルートディレクトリ４０１において、Ｄａｔａ１のファイルの名称を未使用状態に変更すると共に、Ｄａｔａ１が格納されているクラスタに対応するＦＡＴ４０２に、そのクラスタが不良クラスタであることを示す“ＦＦＦ７”値の識別子を設定する（ステップＳ８６）。
【００６７】
次に、図１０を用いて、本実施の形態２に係るデジタルデータ記録再生装置において、秘匿処理が施された秘匿ファイルを再生する際の動作について説明する。
図１０は、本実施の形態２に係るデジタルデータ記録再生装置において、記録媒体に記録された秘匿ファイルを再生する際の一連の流れを示すフローチャートである。
【００６８】
ユーザＩＦ部１０８からシステム制御部１０３に、記録されたファイルのインデックス表示や、再生モードへの切替え等の操作によって、記録媒体１０７ａに記録されたファイルの再生要求が発生すると（ステップＳ９１）、システム制御部１０３は、復号化処理部１１１のＯＳＤ機能を使用し、ＤＡＣ１１２及び表示部１１３を介して、ユーザに対し、ユーザ識別のためのパスワード入力を要求する画面を表示する（ステップＳ９２）。
【００６９】
ユーザがユーザＩＦ部１０８によりパスワードの入力を行うと（ステップＳ９３）、システム制御部１０３は、その入力されたパスワードと関連付けられた秘匿ファイルのルートディレクトリ情報、及びＦＡＴ情報が、上記記録媒体１０７ａ上の専用ファイルシステム領域７０４に格納されているかどうかの確認を行う（ステップＳ９４）。
【００７０】
上記ステップＳ９４において、記録媒体１０７ａ上の専用ファイルシステム領域７０４に格納されていなかった場合、記録媒体１０７ａ上のシステム領域７０１内の秘匿ファイルに関するファイルシステム情報は、そのルートディレクトリ４０１の情報、及びＦＡＴ４０２の情報が変更されず、図４（ｂ）に示すように、ルートディレクトリ４０１においてファイルが未使用状態で、且つＦＡＴ４０２に不良識別子“ＦＦＦ７”値が設定されたままのファイルシステム情報に基づいて、再生処理が実行される（ステップＳ９６）。
【００７１】
このような状態で、記録されたファイルのインデックス表示や再生モードへの切替え等の処理が行われ、システム制御部１０３の制御により、記録媒体アクセス部１０５を介して、記録媒体１０７ａのデータ領域７０２からデータを読み出そうとしても、ルートディレクトリ４０１においてファイルが未使用状態で、且つＦＡＴ４０２に不良識別子“ＦＦＦ７”値が設定されたままのファイルシステム情報に基づいては、記録媒体１０７ａに格納されている秘匿ファイルを読み出すことは不可能である。これにより、ユーザは、秘匿ファイル“Ｄａｔａ１”を再生することができないうえ、さらに、その秘匿ファイルの名称が削除され、未使用状態になっているため、秘匿ファイルの存在すら知ることができない。
【００７２】
一方、上記ステップＳ９４において、上記入力されたパスワードと関連付けられたルートディレクトリ情報、及びＦＡＴ情報が、記録媒体１０７ａ上の専用ファイルシステム領域７０４に格納されていた場合、システム制御部１０３は、図４（ｂ）の状態から、図４（ａ）に示すような、秘匿処理がなされる前の正常なルートディレクトリ４０１、及びＦＡＴ４０２に復元する（ステップＳ９５）。つまり、記録媒体１０７ａ上のシステム領域７０１の秘匿ファイルに関するファイルシステム情報を、ユーザから秘匿要求が出される前の状態に戻すことにより、入力されたパスワードが一致したユーザに対してのみ、記録媒体１０７上の秘匿要求されているファイルを再生することが可能となる。
【００７３】
以上のように本実施の形態２によれば、秘匿処理が施された秘匿対象ファイルを再生するための、上記パスワードと関連付けられたルートディレクトリ情報とＦＡＴ情報とを、ファイルのデータを記録した記録媒体１０７ａ上に記録するようにしたので、記録媒体１０７ａが着脱可能な場合には、他の機器においても秘匿処理が施されたファイルを再生することができ、利便性を高める効果がある。
【００７４】
また、秘匿処理が施されたファイルを再生する際に必要な、秘匿処理がなされる前の正常なルートディレクトリ情報とＦＡＴ情報とを、記録媒体１０７ａ上の専用ファイルシステム領域７０４に記録するようにしたので、記録媒体１０７ａの専用ファイルシステム領域７０４の制御が可能な特定の機器でしか、その秘匿処理を施されたファイルの読み出しができないようにすることができ、その結果、該秘匿ファイルへの不正なアクセスを防止し、データの秘匿性を高める効果がある。さらに、上記秘匿ファイルを再生する際に必要な情報を記録するための、上記記録媒体とは別の第二の記録媒体を設けなくても良いので、装置に設けるメモリの容量が少なくてすみ、装置コストが削減できる効果もある。
【００７５】
（実施の形態３）
以下、本発明の請求項１１，１２に記載された、実施の形態３に係るデジタルデータ記録再生装置について、図３、図４、及び図１１〜図１４を用いて説明する。
上記実施の形態２においては、秘匿対象ファイルを再生する際に必要な情報である秘匿ファイル再生用データを、記録媒体内の、秘匿ファイルのデータを記録する領域とは異なるファイルシステム領域に格納するようにしたが、本実施の形態３においては、記録媒体内に複数の異なるファイルシステム領域を備えることなく、上記記録媒体に格納されるデータと同じファイルシステムで、秘匿ファイル再生用データをファイルとして格納するようにする。
【００７６】
まず、図１１及び図１２を用いて、本実施の形態３におけるデジタルデータ記録再生装置の構成について説明する。図１１は、本実施の形態３におけるデジタルデータ記録再生装置の構成を示す図であり、図１２は、本発明の実施の形態３における記録媒体を説明するための図である。
【００７７】
図１１に示すように、本実施の形態３のデジタルデータ記録再生装置１００ｂは、図７に示す記録媒体１０７ａのかわりに、記録媒体１０７ｂを備えるものである。なお、そのほかの構成は、図７に示す上記実施の形態２のデジタルデータ記録再生装置１００ａと同様であるため、ここでは説明を省略する。
【００７８】
以下、図１２を用いて、本実施の形態３における記録媒体１０７ｂの詳細について説明する。図に示すように、記録媒体１０７ｂは、システム領域１０１１と、データ領域１０１２とからなる汎用ファイルシステム領域１０１０で構成され、記録媒体１０７ｂに、秘匿ファイルを再生するための情報である秘匿ファイル再生用データを記録する場合、記録媒体１０７ｂに秘匿ファイル１００１を記録するのと同様にして、ファイルとして記録される。つまり、図４（ａ）に示されるように、秘匿ファイル再生用データに対するファイルシステム情報が作成され、該ファイルシステム情報のうち、ルートディレクトリ情報及びＦＡＴ情報は、システム領域１０１１に記録され、秘匿ファイル再生用データファイル１００２のデータは、データ領域１０１２に記録される。
【００７９】
次に、図１３を用いて、本実施の形態３に係るデジタルデータ記録再生装置の記録媒体１０７ｂに記録されたファイル“Ｄａｔａ１”を秘匿処理する際の、デジタルデータ記録再生装置１００ｂの動作について説明する。
図１３は、本実施の形態３に係るデジタルデータ記録再生装置の記録媒体に記録されたファイル“Ｄａｔａ１”を秘匿ファイルとする際の一連の流れを示すフローチャートである。
【００８０】
ユーザＩＦ部１０８からシステム制御部１０３に、記録媒体１０７ｂに記録されたファイル“Ｄａｔａ１”に対するファイルの秘匿要求が発生した場合（ステップＳ１１０１）、システム制御部１０３は、図４（ａ）に示されたＤａｔａ１に関するルートディレクトリ４０１の情報、及びＦＡＴ４０２の情報を、記録媒体１０７ｂから読み出し、作業用メモリ部１０４に格納する（ステップＳ１１０２）。
【００８１】
そして、システム制御部１０３は、復号化処理部１１１のＯＳＤ機能を使用し、ＤＡＣ１１２及び表示部１１３を通して、ユーザにユーザ識別のためのパスワード入力を要求する画面を表示する（ステップＳ１１０３）。
【００８２】
ユーザが、ユーザＩＦ部１０８によりパスワードの入力を行うと（ステップＳ１１０４）、システム制御部１０３は、入力されたパスワードを、上記ステップＳ１１０２において作業用メモリ部１０４に格納されたＤａｔａ１のルートディレクトリ情報、及びＦＡＴ情報と関連付けを行った後、作業用メモリ部１０４に格納する（ステップＳ１１０５）。
【００８３】
そして、上記作業用メモリ部１０４に格納されたＤａｔａ１のルートディレクトリ情報、ＦＡＴ情報、及びこれらの情報と関連付けられた入力されたパスワードは、システム制御部１０３により暗号化された後（ステップＳ１１０６）、図３に示すルートディレクトリ情報の属性項目に不可視識別子が設定され、秘匿ファイル再生用データファイル１００２として、記録媒体１０７ｂに格納される（ステップＳ１１０７）。
【００８４】
そして、システム制御部１０３は、図４（ａ）に示されるように記録媒体１０７ｂに記録されているＤａｔａ１に関するルートディレクトリ４０１の情報、及びＦＡＴ４０２の情報を、図４（ｂ）に示すように、ルートディレクトリ４０１において、Ｄａｔａ１のファイルの名称を未使用状態に変更すると共に、Ｄａｔａ１が格納されているクラスタに対応するＦＡＴ４０２に、そのクラスタが不良クラスタであることを示す“ＦＦＦ７”値の識別子を設定する（ステップＳ１１０８）。
【００８５】
次に、図１４を用いて、本実施の形態３に係るデジタルデータ記録再生装置１００ｂにおいて、秘匿処理が施された秘匿ファイルを再生する際の動作について説明する。
図１４は、本実施の形態３に係るデジタルデータ記録再生装置において、記録媒体に記録された秘匿ファイルを再生する際の一連の流れを示すフローチャートである。
【００８６】
ユーザＩＦ部１０８からシステム制御部１０３に、記録されたファイルのインデックス表示や、再生モードへの切替え等の操作により、記録媒体１０７ｂに記録されたファイルの再生要求が発生すると（ステップＳ１２０１）、システム制御部１０３は、復号化処理部１１１のＯＳＤ機能を使用し、ＤＡＣ１１２及び表示部１１３を通して、ユーザにユーザ識別のためのパスワード入力を要求する画面を表示する（ステップＳ１２０２）。
【００８７】
ユーザがユーザＩＦ部１０８によりパスワードの入力を行うと（ステップＳ１２０３）、システム制御部１０３は、秘匿ファイルを再生するためのファイルを、記録媒体１０７ｂから作業用メモリ部１０４に読み出して復元する（ステップＳ１２０４）。
【００８８】
そして、上記ステップＳ１２０４において復元されたファイル内に、その入力されたパスワードと関連付けられた秘匿ファイルのルートディレクトリ情報、及びＦＡＴ情報である秘匿ファイル再生データファイル１００２が含まれているかどうかの確認を行う（ステップＳ１２０５）。
【００８９】
上記ステップＳ１２０５において、上記入力されたパスワードと関連付けられた秘匿ファイル再生データファイルが含まれていないと判断された場合、記録媒体１０７ｂ上の秘匿ファイルに対するファイルシステム情報のルートディレクトリ４０１の情報、及びＦＡＴ４０２の情報は変更されず、図４（ｂ）に示すように、ルートディレクトリ４０１においてファイルが未使用状態であり、且つＦＡＴ４０２に不良識別子“ＦＦＦ７”値が設定されたままのファイルシステム情報に基づいて、再生処理が実行される（ステップＳ１２０７）。
【００９０】
このような状態で、記録されたファイルのインデックス表示や再生モードへの切替え等の処理が行われ、システム制御部１０３の制御により、記録媒体アクセス部１０５を介して、記録媒体１０７ｂからデータを読み出そうとしても、ルートディレクトリ４０１においてファイルが未使用状態で、且つＦＡＴ４０２に不良識別子“ＦＦＦ７”値が設定されたままのファイルシステム情報に基づいては、記録媒体１０７ｂに格納されている秘匿ファイルを読み出すことは不可能となる。これにより、ユーザは、秘匿ファイルを再生することができないうえ、さらに、その秘匿ファイルの名称が削除され、未使用状態となっているため、秘匿ファイルの存在すら知ることができない。
【００９１】
一方、上記ステップＳ１２０４において、上記入力されたパスワードと関連付けられた秘匿ファイルのルートディレクトリ情報、及びＦＡＴ情報である秘匿ファイル再生データファイル１００２が含まれていると判断された場合、システム制御部１０３は、上記ステップＳ１２０４において復元されたファイルを基に、記録媒体１０７ｂ上の秘匿ファイルに関するファイルシステム情報を、図４（ｂ）の状態から、図４（ａ）に示すような、秘匿処理前の正常なルートディレクトリ４０１及びＦＡＴ４０２に復元する（ステップＳ１２０６）。つまり、記録媒体１０７ｂ上の秘匿ファイルに関する秘匿処理後のファイルシステム情報を、ユーザから秘匿要求が出される前の状態に戻すことにより、入力されたパスワードが一致したユーザに対してのみ、記録媒体１０７ｂに格納された秘匿処理されたファイルを再生することが可能となる。
【００９２】
以上のように本実施の形態３によれば、秘匿対象ファイルを再生するための、パスワードと関連付けられたルートディレクトリ情報及びＦＡＴ情報を、記録媒体１０７ｂに記録されるデータと同じファイルシステム領域に、ファイルとして記録するようにしたので、上記実施の形態２の効果に加え、記録媒体１０７ｂの記録領域中に別のファイルシステムの領域を設ける必要が無くなり、記録媒体１０７ｂの記録領域の無駄を低減させることができる。
【００９３】
また、上記秘匿ファイル再生用データを記録媒体１０７ｂ上にファイルとして記録する際、該秘匿ファイル再生用データを暗号化した後に、ファイルに不可視識別子を付加して、記録するようにしたので、承認されていない機器またはユーザから、秘匿対象のファイルへの不正なアクセスを防止でき、データの秘匿性をより高める効果がある。
【００９４】
（実施の形態４）
以下、本発明の請求項１３，１４，１６，１７に記載された、実施の形態４に係るデジタルデータ記録再生装置について、図１、図４及び図１５を用いて説明する。
上記実施の形態１〜３においては、秘匿処理が施された秘匿対象ファイルを再生する際、記録媒体内に格納されている、秘匿処理が施されたファイルに関するファイルシステム情報を、秘匿処理前の状態に復元し、該復元されたファイルシステム情報に基づいて、秘匿処理が施されたファイルのデータを再生するようにしていたが、本実施の形態４においては、記録媒体内の秘匿処理後のファイルシステム情報を復元することなく、秘匿処理において記録媒体とは別の第二の記録媒体に記録された、秘匿ファイルを再生するために必要な秘匿ファイル再生用データに基づいて、秘匿処理が施されたファイルのデータを再生するようにする。
【００９５】
本実施の形態４に係るデジタルデータ記録再生装置の構成は、上記実施の形態１と同様であるため、ここでは説明を省略する。また、本実施の形態４におけるデジタルデータ記録再生装置の記録媒体１０７に記録されたファイル“Ｄａｔａ１”を秘匿処理する際の、デジタルデータ記録再生装置の動作についても、上記実施の形態１と同様のため、説明を省略する。
【００９６】
以下、図１５を用いて、本実施の形態４に係るデジタルデータ記録再生装置１００において、秘匿処理が施された秘匿ファイルを再生する際の動作について説明する。
図１５は、本実施の形態４に係るデジタルデータ記録再生装置において、記録媒体に記録された秘匿ファイルを再生する際の一連の流れを示すフローチャートである。
【００９７】
ユーザＩＦ部１０８からシステム制御部１０３に、記録されたファイルのインデックス表示や、再生モードへの切替え等の操作により、記録媒体１０７に記録されたファイルの再生要求が発生すると（ステップＳ１３０１）、システム制御部１０３は、復号化処理部１１１のＯＳＤ機能を使用し、ＤＡＣ１１２及び表示部１１３を通して、ユーザにユーザ識別のためのパスワード入力を要求する画面を表示する（ステップＳ１３０２）。
【００９８】
ユーザがユーザＩＦ部１０８によりパスワードの入力を行うと（ステップＳ１３０３）、システム制御部１０３は、入力されたパスワードにより関連付けられた秘匿ファイルのルートディレクトリ情報、及びＦＡＴ情報が、上記秘匿ファイル再生用データメモリ部１０９に格納されているかどうかの確認を行う（ステップＳ１３０４）。
【００９９】
上記ステップＳ１３０４において、格納されていないと判断された場合、記録媒体１０７上の秘匿ファイルに関するファイルシステム情報は、そのルートディレクトリ４０１の情報、及びＦＡＴ４０２の情報が変更されず、図４（ｂ）に示すように、ルートディレクトリ４０１においてファイルの名称が未使用状態に変更され、且つ不良識別子“ＦＦＦ７”値が設定されたままのファイルシステム情報に基づいて、再生処理が実行される（ステップＳ１３０６）。
【０１００】
このような状態で、記録されたファイルのインデックス表示や再生モードへの切替え等の処理が行われ、システム制御部１０３の制御により、記録媒体アクセス部１０５を介して、記録媒体１０７からデータを読み出そうとしても、ルートディレクトリ４０１においてファイルが未使用状態で、且つＦＡＴ４０２に不良識別子“ＦＦＦ７”値が設定されたままのファイルシステム情報に基づいては、記録媒体１０７に格納されている秘匿ファイルを読み出すことは不可能となる。これにより、ユーザは、秘匿ファイルを再生することができないうえ、さらに、その秘匿ファイルの名称が削除され、未使用状態となっているため、秘匿ファイルの存在すら知ることができない。
【０１０１】
一方、上記ステップＳ１３０４において、ユーザＩＦ部１０８より入力されたパスワードにより関連付けられた、秘匿ファイルのルートディレクトリ情報及びＦＡＴ情報が、秘匿ファイル再生用データメモリ部１０９に格納されていると判断された場合、システム制御部１０３は、秘匿ファイル再生用データメモリ部１０９に格納されている、秘匿ファイルに関するルートディレクトリ情報とＦＡＴ情報とを使用し、秘匿ファイルの再生を行う（ステップＳ１３０７）。つまり、記録媒体１０７上のファイルシステム情報は、秘匿処理後の図４（ｂ）に示す状態のままにしておき、上記秘匿ファイル再生用データメモリ部１０９に記録されている秘匿処理前のファイルシステム情報を用いて、記録媒体１０７に記録されている秘匿ファイルの再生処理を行う（ステップＳ１３０５）。
【０１０２】
このように、本実施の形態４によれば、秘匿対象ファイルの再生を行う場合、記録媒体１０７上の秘匿処理されたファイルシステム情報を、秘匿処理前の正常なルートディレクトリ情報とＦＡＴ情報とに復元しないで、上記秘匿ファイル再生用データメモリ１０９に記録された秘匿処理前の情報を使用して、再生処理を行うようにしたので、記録媒体１０７に記録されている秘匿ファイルのシステム情報は、常に不良識別子を設定した状態とすることができ、その結果、秘匿対象ファイルのデータの秘匿性を高めることができる。
【０１０３】
なお、本実施の形態４においては、秘匿処理前の正常なルートディレクトリ情報及びＦＡＴ情報を、秘匿対象ファイルのデータを記録する記録媒体とは別の上記秘匿ファイル再生用データメモリ１０９に格納するようにしたが、上記秘匿処理前の正常なルートディレクトリ情報及びＦＡＴ情報を、上記秘匿対象ファイルのデータを格納している記録媒体１０７上に格納するようにしてもよい。
【０１０４】
【発明の効果】
以上のように、本発明の請求項１に記載のデジタルデータ記録再生方法によれば、デジタルデータが、記録媒体における記録最小単位でファイルとして記録され、該記録媒体に記録された該記録媒体内のファイル構造を示すファイルシステム情報に基づいて再生されるデジタルデータ記録再生方法であって、上記記録媒体に記録されたデジタルデータに関する上記ファイルシステム情報に含まれる最小記録単位の接続関係を示すチェイン情報に、ファイルが不良であることを示す不良識別子を設定する秘匿処理を施し、上記秘匿処理が施されたデジタルデータを再生する際には、上記不良識別子が設定されたファイルシステム情報を、該不良識別子が設定される前のファイルシステム情報に復元した後、該復元されたファイルシステム情報に基づいて、上記デジタルデータの再生を行うようにしたので、秘匿対象ファイルのデータ領域に関するファイルシステム情報部分に、不良識別子を付加することにより、記録媒体上に無駄な領域を持たせることなく、秘匿要求されたデータの秘匿性を確保でき、また、外部機器による秘匿対象ファイルのデータ領域の再利用を防止し、ファイルデータの削除などの破壊を防止できる効果がある。また、秘匿対象ファイルのデータ領域に対して処理を行わないため、ファイル対する秘匿処理が簡易に行え、短時間で行うことができる。さらに、秘匿対象ファイルのデータを再生する際は、上記ファイルシステム情報を秘匿処理前の正常な情報に戻し、該正常な情報に基づいて上記秘匿対象ファイルのデータを再生するようにしているので、既存の汎用ファイルシステム制御機能をそのまま流用することができ、処理が簡易で、開発に要する時間を短縮できる効果がある。
【０１０５】
また、本発明の請求項２に記載のデジタルデータ記録再生方法によれば、請求項１に記載のデジタルデータ記録再生方法において、上記秘匿処理が施される前のデジタルデータに関するファイルシステム情報を、第二の記録媒体に記録した後、上記秘匿処理を施し、上記秘匿処理が施されたデジタルデータを再生する際には、上記第二の記録媒体に記録された情報に基づいて、上記不良識別子が設定されたファイルシステム情報を、該不良識別子が設定される前のファイルシステム情報に復元した後、該復元されたファイルシステム情報に基づいて、上記デジタルデータの再生を行うようにしたので、承認されていない機器または使用者から、秘匿対象のファイルへの不正なアクセスを防止し、データの機密性を高めることができ、また、既存の汎用ファイルシステム制御機能をそのまま流用することができるため、処理が簡易で、開発に要する時間を短縮できる効果がある。
【０１０６】
また、本発明の請求項３に記載のデジタルデータ記録再生方法によれば、請求項１に記載のデジタルデータ記録再生方法において、上記秘匿処理が施される前のデジタルデータに関するファイルシステム情報を、承認された機器もしくはユーザの情報と関連づけて、上記第二の記録媒体に記録した後、上記秘匿処理を施し、上記秘匿処理が施されたデジタルデータを再生する際には、承認された機器もしくはユーザであるかを確認した後に、上記第二の記録媒体に記録された情報に基づいて、上記不良識別子が設定されたファイルシステム情報を、該不良識別子が設定される前のファイルシステム情報に復元した後、該復元されたファイルシステム情報に基づいて、上記デジタルデータの再生を行うようにしたので、承認されていない機器または使用者から、秘匿対象ファイルに対し、不正にアクセスする危険性を下げ、データの機密性を高める効果がある。
【０１０７】
また、本発明の請求項４に記載のデジタルデータ記録再生方法によれば、請求項３に記載のデジタルデータ記録再生方法において、上記機器情報は、機器毎に付加されたＩＤであるようにしたので、秘匿対象ファイルを特定の機器でしか再生することができないように制限をつけることが可能となり、承認されていない機器から、秘匿対象ファイルに対して、不正にアクセスする危険性を下げ、データの機密性をより高めることができる。
【０１０８】
また、本発明の請求項５に記載のデジタルデータ記録再生方法によれば、請求項３に記載のデジタルデータ記録再生方法において、上記ユーザ情報は、パスワード、ＩＤ、もしくは指紋であるようにしたので、秘匿対象ファイルを特定のユーザしか再生することができないように制限をつけることが可能となり、承認されていない使用者が、秘匿対象ファイルに対して、不正にアクセスする危険性を下げて、データの機密性をより高めることができる。
【０１０９】
また、本発明の請求項６に記載のデジタルデータ記録再生方法によれば、請求項１に記載のデジタルデータ記録再生方法において、上記記録最小単位は、クラスタ単位であるようにしたので、記録媒体上に無駄な領域を持たず、ファイルの秘匿性を確保することができ、また、外部機器による秘匿対象ファイルのデータ領域の再利用を防止し、ファイルデータの削除などの破壊を防止できる作用がある。さらに、秘匿対象ファイルのデータ領域に対して処理を行わないため、その処理を短時間で行えるという効果もある。
【０１１０】
また、本発明の請求項７に記載のデジタルデータ記録再生方法によれば、請求項１に記載のデジタルデータ記録再生方法において、上記記録最小単位は、セクタ単位であるようにしたので、秘匿対象ファイルのデータ領域に関するファイルシステム情報の部分において、セクタ単位で不良識別子を付加することにより、記録媒体上に無駄な領域を持たせず、ファイルの秘匿性を確保し、また、外部機器による秘匿対象ファイルのデータ領域の再利用を防止し、ファイルデータの削除などの破壊を防止することができる。さらに、秘匿対象ファイルのデータ領域に対して処理を行わないため、その処理を短時間で行えるという効果もある。
【０１１１】
また、本発明の請求項８に記載のデジタルデータ記録再生方法によれば、請求項２に記載のデジタルデータ記録再生方法において、上記第二の記録媒体は、リムーバブルメディアであるようにしたので、正規使用者が上記リムーバブルメディアを管理することにより、承認されていない機器または使用者から、秘匿対象ファイルへの不正なアクセスを防止することができ、データの機密性をさらに高めることができる。
【０１１２】
また、本発明の請求項９に記載のデジタルデータ記録再生方法によれば、請求項１に記載のデジタルデータ記録再生方法において、上記記録媒体がリムーバブルメディアであるとき、上記秘匿処理が施される前のデジタルデータに関するファイルシステム情報を、上記記録媒体に記録した後、上記秘匿処理を施し、上記秘匿処理が施されたデジタルデータを再生する際には、上記記録媒体に記録された情報に基づいて、上記不良識別子が設定されたファイルシステム情報を、該不良識別子が設定される前のファイルシステム情報に復元した後、該復元されたファイルシステム情報に基づいて、上記デジタルデータの再生を行うようにしたので、他の機器においても、秘匿対象ファイルを再生することができ、利便性を高める効果がある。また、秘匿対象ファイルを再生する際に必要な情報を記録するための別メモリを設ける必要がなくなるため、装置全体としてのメモリの容量が小さくてすみ、装置コストを削減することができる。
【０１１３】
また、本発明の請求項１０に記載のデジタルデータ記録再生方法によれば、請求項９に記載のデジタルデータ記録再生方法において、上記記録媒体に、上記秘匿処理が施される前のデジタルデータに関するファイルシステム情報を記録する際、上記記録媒体内のデジタルデータを記録するファイルシステム領域とは異なるファイルシステム領域に、上記ファイルシステム情報を記録するようにしたので、上記デジタルデータを格納するファイルシステムとは異なる専用のファイルシステムの制御が可能な特定の機器でしか、秘匿対象ファイルの読み出しができないようにすることができ、秘匿対象ファイルへの不正なアクセスを防止し、データの機密性を高める効果がある。
【０１１４】
また、本発明の請求項１１に記載のデジタルデータ記録再生方法によれば、請求項９に記載のデジタルデータ記録再生方法において、上記記録媒体に、上記秘匿処理が施される前のデジタルデータに関するファイルシステム情報を記録する際、上記記録媒体内のデジタルデータを格納するファイルシステム領域と同じ領域に、ファイルをみえなくする不可視識別子を設定した上記ファイルシステム情報を記録するようにしたので、記録媒体内に、異なるファイルシステムで制御される複数のファイルシステム領域を設ける必要が無くなり、記録媒体の記録領域の無駄を低減することができる。
【０１１５】
また、本発明の請求項１２に記載のデジタルデータ記録再生方法によれば、請求項１１に記載のデジタルデータ記録再生方法において、上記記録媒体に、上記秘匿処理が施される前のデジタルデータに関するファイルシステム情報を記録する際、該ファイルシステム情報を暗号化して記録するようにしたので、承認されていない機器または使用者から、秘匿対象ファイルへの不正なアクセスを防止し、データの機密性を高める効果がある。
【０１１６】
また、本発明の請求項１３に記載のデジタルデータ記録再生方法によれば、デジタルデータが、記録媒体における記録最小単位でファイルとして記録され、該記録媒体に記録された該記録媒体内のファイル構造を示すファイルシステム情報に基づいて再生されるデジタルデータ記録再生方法であって、上記記録媒体に記録されたデジタルデータに関する上記ファイルシステム情報に含まれる最小記録単位の接続関係を示すチェイン情報に、ファイルが不良であることを示す不良識別子を設定する秘匿処理を施すとともに、該秘匿処理を施す前のデジタルデータに関するファイルシステム情報を第二の記録媒体に記録し、上記秘匿処理が施されたデジタルデータを再生する際には、上記第二の記録媒体に記録された上記秘匿処理を施す前のデジタルデータに関するファイルシステム情報に基づいて、上記デジタルデータの再生を行うようにしたので、秘匿対象ファイルのデータの再生を行う際に、記録媒体上の不良識別子はそのまま付加した状態で再生を行うようにすることができる。そしてこのことによって、承認された機器または使用者しか、秘匿対象ファイルの再生を行うことができないようにでき、秘匿対象ファイルへの不正なアクセスを防止し、且つデータの機密性を高めることができる。また、記録媒体上に無駄な領域を持たせることなく、ファイルの秘匿性を確保でき、さらに外部機器による秘匿対象ファイルのデータ領域の再利用を防止し、ファイルデータの削除などの破壊を防止できる効果もある。
【０１１７】
また、本発明の請求項１４に記載のデジタルデータ記録再生方法によれば、デジタルデータが、記録媒体における記録最小単位でファイルとして記録され、該記録媒体に記録された該記録媒体内のファイル構造を示すファイルシステム情報に基づいて再生されるデジタルデータ記録再生方法であって、上記記録媒体に記録されたデジタルデータに関する上記ファイルシステム情報に含まれる最小記録単位の接続関係を示すチェイン情報に、ファイルが不良であることを示す不良識別子を設定する秘匿処理を施すとともに、該秘匿処理を施す前のデジタルデータに関するファイルシステム情報を上記記録媒体に記録し、上記秘匿処理が施されたデジタルデータを再生する際には、上記記録媒体に記録された上記秘匿処理を施す前のデジタルデータに関するファイルシステム情報に基づいて、上記デジタルデータの再生を行うようにしたので、秘匿対象ファイルのデータの再生を行う際に、記録媒体上の不良識別子はそのまま付加した状態で再生を行うようにすることができる。そしてこのことによって、承認された機器または使用者しか、秘匿対象ファイルの再生を行うことができないようにでき、秘匿対象ファイルへの不正なアクセスを防止し、且つデータの機密性を高めることができる。また、記録媒体上に無駄な領域を持たせることなく、ファイルの秘匿性を確保でき、さらに外部機器による秘匿対象ファイルのデータ領域の再利用を防止し、ファイルデータの削除などの破壊を防止できる効果もある。
【０１１８】
また、本発明の請求項１５に記載のデジタルデータ記録再生装置によれば、デジタルデータが、記録媒体における記録最小単位でファイルとして記録され、該記録媒体に記録された該記録媒体内のファイル構造を示すファイルシステム情報に基づいて再生されるデジタルデータ記録再生装置であって、上記デジタルデータのうち、ユーザから秘匿要求がなされたデータに関する該記録媒体内のファイル構造を示すファイルシステム情報に含まれる最小記録単位の接続関係を示すチェイン情報に、ファイルが不良であることを示す不良識別子を設定する秘匿処理を施す秘匿処理手段と、上記不良識別子が設定されたファイルシステム情報を、該不良識別子が設定される前のファイルシステム情報に復元し、該復元されたファイルシステム情報に基づいて、上記秘匿処理が施されたデジタルデータを再生処理する再生処理手段と、を備えるようにしたので、記録媒体上に無駄な領域を持たせずに、ファイルの秘匿性を確保でき、また、外部機器による秘匿対象ファイルのデータ領域の再利用を防止し、ファイルデータの削除などの破壊を防止できるデジタルデータ記録再生装置を提供することができる。
【０１１９】
また、本発明の請求項１６に記載のデジタルデータ記録再生装置によれば、デジタルデータが、記録媒体における記録最小単位でファイルとして記録され、該記録媒体に記録された該記録媒体内のファイル構造を示すファイルシステム情報に基づいて再生されるデジタルデータ記録再生装置であって、上記デジタルデータのうち、ユーザから秘匿要求がなされたデータに関する該記録媒体内のファイル構造を示すファイルシステム情報に含まれる最小記録単位の接続関係を示すチェイン情報に、ファイルが不良であることを示す不良識別子を設定する秘匿処理を施し、該秘匿処理が施される前のデジタルデータに関するファイルシステム情報を、第二の記録媒体に記録する秘匿手段と、上記第二の記録媒体に記録された上記秘匿処理が施される前のデジタルデータに関するファイルシステム情報に基づいて、上記秘匿処理が施されたデジタルデータを再生処理する再生処理手段と、を備えるようにしたので、記録媒体上に無駄な領域を持たせずに、ファイルの秘匿性を確保でき、また、外部機器による秘匿対象ファイルのデータ領域の再利用を防止し、ファイルデータの削除などの破壊を防止できる装置を提供することができる。また、秘匿対象ファイルを再生する際に必要な情報を記録するための第二の記録媒体を設ける必要がなくなるため、装置全体としてのメモリの容量を減少させることができ、装置コストを削減することができる。
【０１２０】
また、本発明の請求項１７に記載のデジタルデータ記録再生装置によれば、デジタルデータが、記録媒体における記録最小単位でファイルとして記録され、該記録媒体に記録された該記録媒体内のファイル構造を示すファイルシステム情報に基づいて再生されるデジタルデータ記録再生装置であって、上記デジタルデータのうち、ユーザから秘匿要求がなされたデータに関する該記録媒体内のファイル構造を示すファイルシステム情報に含まれる最小記録単位の接続関係を示すチェイン情報に、ファイルが不良であることを示す不良識別子を設定する秘匿処理を施し、該秘匿処理が施される前のデジタルデータに関するファイルシステム情報を、上記記録媒体に記録する秘匿手段と、上記記録媒体に記録された上記秘匿処理が施される前のデジタルデータに関するファイルシステム情報に基づいて、上記秘匿処理が施されたデジタルデータを再生処理する再生処理手段と、を備えるようにしたので、記録媒体上に無駄な領域を持たせずに、ファイルの秘匿性を確保でき、また、外部機器による秘匿対象ファイルのデータ領域の再利用を防止し、ファイルデータの削除などの破壊を防止できる装置を提供することができる。また、秘匿対象ファイルを再生する際に必要な情報を記録するための第二の記録媒体を設ける必要がなくなるため、装置全体としてのメモリの容量を減少させることができ、装置コストを削減することができる。
【図面の簡単な説明】
【図１】本発明の実施の形態１における、デジタルデータ記録再生装置の構成を示す図である。
【図２】記録媒体の一般的なデータ記録方法を説明するための図である。
【図３】ルートディレクトリ情報の詳細を示す図である。
【図４】本発明の実施の形態における、記録媒体に構成されるファイルシステム情報を示す図である。
【図５】本発明の実施の形態１における、ファイル秘匿要求が発生した場合のフローチャートである。
【図６】本発明の実施の形態１における、秘匿ファイルの再生要求が発生した場合のフローチャートである。
【図７】本発明の実施の形態２における、デジタルデータ記録再生装置の構成を示す図である。
【図８】本発明の実施の形態２における、記録媒体を説明するための図である。
【図９】本発明の実施の形態２における、ファイル秘匿要求が発生した場合のフローチャートである。
【図１０】本発明の実施の形態２における、秘匿ファイルの再生要求が発生した場合のフローチャートである。
【図１１】本発明の実施の形態３における、デジタルデータ記録再生装置の構成を示す図である。
【図１２】本発明の実施の形態３における、記録媒体を説明するための図である。
【図１３】本発明の実施の形態３における、ファイル秘匿要求が発生した場合のフローチャートである。
【図１４】本発明の実施の形態３における、秘匿ファイルの再生要求が発生した場合のフローチャートである。
【図１５】本発明の実施の形態４における、秘匿ファイルの再生要求が発生した場合のフローチャートである。
【図１６】従来技術を説明する図である。
【符号の説明】
１００，１００ａ，１００ｂ　デジタルデータ記録再生装置
１０１　ＡＤＣ
１０２　符号化処理部
１０３　システム制御部
１０４　作業用メモリ部
１０５　記録媒体アクセス部
１０６，１０６ａ　デジタルデータ記録再生制御部
１０７，１０７ａ，１０７ｂ　記録媒体
１０８　ユーザＩＦ部
１０９　秘匿ファイル再生用データメモリ部
１１０　通信部
１１１　復号化処理部
１１２　ＤＡＣ
１１３　表示部
２０１，４０１　ルートディレクトリ
２０２，４０２　ファイルアロケーションテーブル（ＦＡＴ）
２０３，４０３　クラスタ
７０１，１０１１　システム領域
７０２，１０１２　データ領域
７０３，１０１０　汎用ファイルシステム領域
７０４　専用ファイルシステム領域
１００１　秘匿ファイル
１００２　秘匿ファイル再生用データファイル
１４１０　先行プログラム
１４１１　不良部分を回避するアルゴリズム
１４２０　後続プログラム
１４２１　不良部分
【図１】
2004079120.tif 000003
【図２】
2004079120.tif 000004
【図３】
2004079120.tif 000005
【図４】
2004079120.tif 000006
【図５】
2004079120.tif 000007
【図６】
2004079120.tif 000008
【図７】
2004079120.tif 000009
【図８】
2004079120.tif 000010
【図９】
2004079120.tif 000011
【図１０】
2004079120.tif 000012
【図１１】
2004079120.tif 000013
【図１２】
2004079120.tif 000014
【図１３】
2004079120.tif 000015
【図１４】
2004079120.tif 000016
【図１５】
2004079120.tif 000017
【図１６】
2004079120.tif 000018